(57)【要約】【課題】電源装置を変更することなく、表示部照明装置の数が異なる表示装置を使用することができる技術を提供する。【解決手段】電源装置１１１は、電圧が制御された第１の直流電源と、電圧が制御されてなく、第１の直流電源より電源容量が大きい第２の直流電源を供給する。表示部照明装置駆動回路は、第２の直流電源を交流電源に変換して表示部照明装置１７２に供給する電源変換回路と、電源変換回路を制御する制御回路３０と、動作電源供給回路４０を有している。制御回路３０は、設定周波数の発信信号を用いて電源変換回路を制御し、電源変換回路から供給される交流電源の電圧が第１の下限電圧設定値より小さくなると電源変換回路の動作を停止させる。動作電源供給回路４０は、第２の直流電源の電圧が第２の下限電圧設定値より小さい時には制御回路３０への動作電源の供給を停止し、第２の下限電圧設定値より大きい時には制御回路３０に動作電源を供給する。【選択図】図２
2008005922.tif 000002
【特許請求の範囲】
【請求項１】
表示部と当該表示部を背面側から照明するための表示部照明装置を有する表示装置と、直流電源を供給する電源装置と、前記電源装置から供給される直流電源を入力し前記表示部照明装置を駆動する表示部照明装置駆動回路を備える遊技機であって、
前記電源装置は、交流電源を入力し、電圧が制御された第１の直流電源と、電圧が制御されてなく、電源容量が第１の直流電源より大きい第２の直流電源を供給し、
前記表示部照明装置駆動回路は、電源変換回路と、動作電源供給回路と、制御回路を有し、
前記電源変換回路は、スイッチング回路を有し、前記電源装置から供給される第２の直流電源を交流電源に変換して前記表示部照明装置に供給し、
前記制御回路は、設定周波数の発振信号を用いて前記スイッチング回路をオン・オフ制御するオン・オフ制御手段と、前記電源変換回路から供給される交流電源の電圧が第１の下限電圧設定値より小さくなると前記スイッチング回路をオフ制御する電圧低下異常処理を実行する電圧低下異常処理手段と、動作電源の供給による動作開始時にリセット処理を実行するリセット処理手段を有し、
前記動作電源供給回路は、前記電源装置から供給される第２の直流電源の電圧が第２の下限電圧設定値より小さい時には前記制御回路への動作電源の供給を停止し、前記電源装置から供給される第２の直流電源の電圧が第２の下限電圧設定値より大きい時に前記制御回路に動作電源を供給する、
ことを特徴とする遊技機。
【発明の詳細な説明】
【技術分野】
【０００１】
本発明は、遊技機に関し、特に、遊技演出用の画像を表示する表示装置を備える遊技機に関する。
【背景技術】
【０００２】
パチンコ機やパチスロ機等の遊技機には、遊技演出用の画像を表示する液晶表示装置が設けられている。例えば、パチンコ機では、遊技領域に発射された遊技球が始動入賞口に入球すると、抽選が行われる。そして、図柄やキャラクタ等の画像データにより形成される遊技演出用の画像を液晶表示装置に表示することによって、抽選結果（当たりあるいははずれ）の表示に関する演出を行っている。また、パチスロ機では、遊技者のスタート操作によって図柄が変動表示され、遊技者の停止操作によってあるいは一定時間後に図柄が停止表示される図柄表示装置とは別に設けた液晶表示装置に、遊技者への種々の情報を表示することによって、遊技者の遊技に対する演出を行っている。
液晶表示装置としては、一般的に、液晶パネルと、液晶パネルを背面側から照明するバックライト光源を有するバックライト式の液晶表示装置が用いられる。バックライト方式としては、例えば、液晶パネルの背面側に導光板を設け、導光板の側方に設けたバックライト光源からの光を導光板を介して液晶パネルの背面に照射するエッジライト方式、液晶パネルの背面側にバックライト光源を設け、バックライトからの光を液晶パネルの背面に照射する直下型方式が用いられている。バックライト光源としては、明るくて寿命が長い冷陰極管が用いられることが多い。
また、遊技機には、電源装置が設けられている。電源装置は、例えば、２４Ｖ交流電源（ＡＣ２４Ｖ電源）を入力し、電圧が制御された１２Ｖ直流電源（ＤＣ１２Ｖ電源）と、電圧が制御されていない３４Ｖ直流電源（ＤＣ３４Ｖ電源）を供給する。ＤＣ３４Ｖ電源は、例えば、ＡＣ２４Ｖ電源を整流及び平滑して生成される。冷陰極管（バックライト光源）を駆動する冷陰極管駆動回路は、電源装置から供給される、電圧が制御されたＤＣ１２Ｖ電源を用いて冷陰極管を駆動する。
冷陰極管駆動回路としては、電源装置から供給される、電圧が制御されたＤＣ１２Ｖ電源を設定周波数の交流電源に変換するインバータが用いられる。インバータは、変圧器とスイッチング回路により構成され、スイッチング回路は、変圧器の巻線により形成される共振回路によって制御される。これにより、自励式インバータが構成されている。（特許文献１参照）
【特許文献１】特開２００５−１３７５７２号公報
【発明の開示】
【発明が解決しようとする課題】
【０００３】
近年、遊技演出効果を高めるために、表示画面サイズが大きい液晶パネルを有する液晶表示装置の使用が要望されている。ここで、液晶表示装置の表示画面サイズが大きくなるに伴って、バックライト光源として用いられる冷陰極管の数が増加する。例えば、表示画面サイズが１２インチの液晶表示装置では２灯の冷陰極管が使用されるが、表示画面サイズが１４インチの液晶表示装置では４灯の冷陰極管が使用される。
このように表示画面サイズが大きい液晶表示装置を使用する場合には、冷陰極管の数が増加するため、電源装置から供給されるＤＣ１２Ｖ電源では、電源容量が不足することになる。
ここで、冷陰極管の数の増大に伴う電源容量の不足に対処する方法として、電源装置から供給されるＤＣ１２Ｖ電源の電源容量を増大する方法が考えられる。しかしながら、ＤＣ１２Ｖ電源の電源容量を増大する方法は、電源装置を変更する必要があり、高価となる。また、電源装置は異なる機種の遊技機で兼用できるのが好ましい。
本発明は、このような点に鑑みて創案されたものであり、電源装置を変更することなく、液晶パネル等の表示部を背面側から照明するための、冷陰極管等の液晶表示部照明装置の数が異なる表示装置を使用することができる技術を提供することを目的とする。
【課題を解決するための手段】
【０００４】
前記目的を達成するための本発明の第１発明は、請求項１に記載されたとおりの遊技機である。
本発明で用いられている技術は、パチンコ機やパチスロ機等の種々の遊技機に好適に用いることができる。
本発明の遊技機は、遊技演出用の画像を表示する表示部と表示部を背面側から照明するための表示部照明装置を有する表示装置、表示部照明装置を駆動する表示部照明装置駆動回路、電源装置を備えている。
表示装置としては、典型的には、液晶パネル（表示部）及び液晶パネルを背面側から照明する液晶パネル照明装置（表示部照明装置）を有するバックライト式の液晶表示装置が用いられる。液晶パネル照明装置（バックライト光源）としては、好適には、冷陰極管が用いられる。この場合、表示部照明装置駆動回路として液晶パネル照明装置駆動回路が用いられる。なお、表示部は、背面側から照明されればよく、表示部照明装置の配置位置は、表示部の後方や側方であってもよい。
遊技機には、通常、交流電源を入力し、電圧が制御された第１の直流電源と、電圧が制御されていない第２の直流電源を供給する電源装置が用いられている。ここで、「電圧が制御された直流電源」は、電圧制御回路によって電圧がフィードバック制御されている直流電源を意味する。また、「電圧が制御されていな直流電源」は、電圧制御回路によって電圧がフィードバック制御されていない直流電源を意味する。電圧が制御されていない直流電源は、典型的には、交流電源を整流する整流回路（全波整流回路あるいは半波整流回路）と、整流回路で整流された直流電圧を平滑する平滑回路によって生成される。なお、交流電源の電圧あるいは直流電源の電圧を分圧する分圧回路が用いられることもある。このような電源装置としては、例えば、ＡＣ２４Ｖ電源を入力し、電圧が制御されたＤＣ１２Ｖ電源と、電圧が制御されていないＤＣ３４Ｖ電源を供給する電源装置が用いられる。なお、本明細書では、ＡＣ２４Ｖ電源を全波整流した後に平滑した直流電源を、「ＤＣ３４Ｖ電源」と呼んでいる。電源装置は、第２の直流電源（例えば、ＤＣ３４Ｖ電源）の電源容量が、第１の直流電源（例えば、ＤＣ１２Ｖ電源）の電源容量より大きくなるように構成されている。
本発明では、電源装置から供給される、電圧が制御されてなく、電源容量が第１の直流電源より大きい第２の直流電源を、表示部照明装置駆動回路に供給することによって、表示画面サイズの大きい表示部を有する表示装置（したがって、表示部照明装置の数が多い表示装置）の使用に伴う電源容量の不足を解消している。
表示部照明装置駆動回路は、電源装置から供給される、電圧が制御されていない第２の直流電源を設定周波数の交流電源に変換して表示部照明装置に供給する電源変換回路を有している。電源変換回路としては、変圧器とスイッチング回路を有するインバータが用いられる。
遊技機では、一般的には、インバータとして、ＩＣの使用数が少ない自例式インバータが用いられている。本発明では、電源装置から供給される第２の直流電源は、電圧が制御されていないため、電圧が大きく変動する。このため、本発明では、表示部照明装置駆動回路に、インバータのスイッチング回路を制御する制御回路を設け、自励式インバータよりも入力電源の電圧変動に対する安定性が良い他例式インバータを構成している。制御回路は、発振回路から出力される設定周波数の発振信号を用いてスイッチング回路をオン・オフ制御するオン・オフ制御手段を有している。スイッチング回路をオン・オフ制御する方式として、典型的には、発振信号を用いてＰＷＭ（パルス幅変調）制御信号を出力するＰＷＭ制御方式が用いられる。
ここで、他励式インバータの制御回路は、他例式インバータの入力電源の電圧が低下して、他励式インバータから供給される交流電源の電圧（表示部照明装置の電圧）が下限電圧設定値（第１の下限電圧設定値）より小さくなると、スイッチング回路をオフ制御する電圧低下異常処理を実行する（電圧低下異常処理モードを設定する）電圧低下異常処理手段を有している。なお、電源装置から供給される第２の直流電源の電圧（他励式インバータに供給される直流電源の電圧）が第１の下限電圧設定値に対応する設定値より小さくなると電圧低下異常処理を実行するように電圧低下異常処理手段を構成することもできる。「交流電源の電圧が第１の下限電圧設定値より小さくなる」という記載は、交流電源の電圧が、第1の下限電圧設定値より大きい状態から第1の下限電圧設定値より小さい状態に移行することを表している。交流電源の電圧が第１の下限電圧設定値より大きい状態から第１の下限電圧設定値より小さい状態に移行したことを判別する方法としては、種々の方法を用いることができる。例えば、交流電源の電圧が第１の下限電圧設定値より大きくなったことを判別した後に、第１の下限電圧設定値より小さくなったことを判別する方法、制御回路のオン・オフ制御手段がスイッチング回路のオン・オフ制御を開始してから設定時間経過した後に、交流電源の電圧が第１の下限電圧設定値より小さくなったことを判別する方法、交流電源の電圧が第１の下限電圧設定値より小さくなったことと交流電源が減少状態（変化率が負である）にあることを判別する方法を用いることができる。
この電圧低下異常処理手段による電圧低下異常処理の実行（電圧低下異常処理モードの設定）は、制御回路のリセット処理手段がリセット処理を実行することによって完全に解除される。通常、制御回路のリセット処理手段は、動作電源が供給されていない状態から動作電源が供給されて、動作電源の電圧が制御回路の動作開始電圧に達した時（動作電源の供給による動作開始時）にリセット処理を実行するように構成されている。このため、電源装置から供給される第２の直流電源の電圧の低下によって電源変換回路から供給される交流電圧が低下し、電圧低下異常処理手段が電圧低下異常処理を実行した後、制御回路の動作電源の電圧が、制御回路が動作不能となる値より小さくなる前に、第２の直流電源の電圧が増加して制御回路の動作電源の電圧が増加すると、リセット処理手段はリセット処理を実行しない。この場合、電圧低下異常処理手段によるスイッチング回路のオフ制御が継続されて表示部照明装置が駆動されない状態が持続するため、表示部に表示されている画像が見難い。
本発明では、表示部照明装置駆動回路は、電源装置から供給される第２の直流電源を入力し、制御回路に動作電源を供給する動作電源供給回路を有している。動作電源供給回路は、電源装置から供給される第２の直流電源の電圧が第２の下限電圧設定値より小さい時には制御回路への動作電源の供給を停止し、第２の下限電圧設定値より大きい時に制御回路に動作電源を供給する。第２の下限電圧設定値は、制御回路の電圧低下異常処理手段が電圧低下異常処理を実行する（電圧低下異常処理モードを設定する）第１の下限電圧設定値に対応する値に設定される。すなわち、電源変換回路から表示部照明装置に供給される交流電源の電圧が第１の下限電圧設定値より小さくなって制御回路の電圧低下異常処理手段が電圧低下異常処理を実行した後に、制御回路への動作電源の供給が停止されるように設定される。例えば、交流電源の電圧が第1の下限電圧設定値と等しくなる時の第２の直流電源の電圧値より小さい値に設定される。
なお、「大きい」、「小さい」等の記載は、等号を含んでもよいし、含まなくてもよい。また、「第２の直流電源の電圧が第２の下限電圧設定値より小さい時」及び「第２の直流電源の電圧が第２の下限電圧設定値より大きい時」等の記載は、いずれか一方に等号を含むことを意味している。
【発明の効果】
【０００５】
請求項１に記載の遊技機では、電源装置から供給される、電圧が制御された第１の直流電源に代えて、電圧が制御されてなく、第１の直流電源の電源容量より大きい第２の直流電源を表示部照明装置駆動回路に供給している。これにより、表示部の表示画面サイズが大きい、すなわち、表示部照明装置の数が多い表示装置を用いる場合でも、電源装置を変更する必要がないため、安価に構成することができる。
また、表示部照明装置駆動回路に設けられるインバータとして、他励式インバータを用いている。これにより、電圧が制御されていない第２の直流電源の電圧変動による影響を低減することができる。
また、第２の直流電源の電圧が第２の下限電圧設定値より小さい時には制御回路への動作電源の供給を停止し、第２の下限電圧設定値より大きい時に制御回路に動作電源を供給する動作電源供給回路を設けている。これにより、第２の直流電源の電圧低下により電源変換回路から供給される交流電源の電圧が低下して制御回路の電圧低下異常処理手段が電圧低下異常処理を実行した場合、第２の直流電源の電圧が上昇する時に制御回路のリセット処理手段が確実にリセット処理を実行するため、表示部照明装置が駆動されない状態が持続されるのを防止することができる。
【発明を実施するための最良の形態】
【０００６】
以下に、本発明の実施の形態を、図面を参照して説明する。
本発明の一実施の形態の制御系の概略構成を図１に示す。本実施の形態は、本発明をパチンコ機として構成したものである。
本実施の形態では、表示装置として、処理負担が軽い、ＬＥＤ等により構成される特別図柄表示装置示装置１３５と、種々の画像を表示することができる液晶表示装置により構成される装飾図柄表示装置１７０を用いている。装飾図柄表示装置１７０は、液晶パネル１７１と、液晶パネル１７１を背面側から照明するためのバックライト光源である冷陰極管１７２を有するバックライト式の液晶表示装置を用いている。冷陰極管は、例えば、液晶パネルの背面側に設けられた導光板の側方に設けられ、あるいは、液晶パネルの背面側に設けられる。
【０００７】
本実施の形態の制御系は、払出制御基板１２０（図２参照）、主制御基板１３０、副制御基板１４０、表示制御基板１５０、冷陰極管駆動基板１６０等により構成されている。
主制御基板１３０には、主制御回路１３１、ＲＯＭやＲＡＭ等の記憶回路１３２、表示装置駆動回路１３３等が配設されている。通常、主制御回路１３１と記憶回路１３２は、制御用ＩＣとして一体的に構成される。
主制御回路１３１には、種々の入力信号が入力される。例えば、遊技球が始動入賞装置に入球したことを示す始動入賞球検出信号、遊技球が一般入賞装置に入球したことを示す一般入賞球検出信号、遊技球が大入賞口に入球したことを示す大入賞球検出信号等が入力される。
主制御回路１３１は、入力信号と記憶回路１３２に記憶されている制御プログラムや各種の乱数発生プログラムに基づいて、主制御信号を出力する。
例えば、始動入賞球検出信号が入力されると、抽選手段により抽選を行い、抽選の結果が当たりであるか否か（抽選結果）を判定するとともに、抽選結果を報知する演出表示時間を判定する。そして、判定した抽選結果を示す抽選結果情報や演出表示時間を示す演出表示時間情報を含む主コマンド信号を主制御信号として副制御回路１４１に出力する。また、判定した抽選結果と演出表示時間に基づいて、特別図柄表示装置１３５を駆動する制御信号を主制御信号として表示装置駆動回路１３３に出力する。また、抽選結果が当たりである場合には、抽選結果の演出が行われた後、大入賞口（図示省略）を開閉する大入賞口開閉部材（図示省略）を駆動する制御信号を主制御信号として大入賞口開閉部材駆動回路（図示省略）に出力し、遊技者に有利な大当たり遊技状態を発生させる。同時に、大当たり遊技状態に対応する演出を行うことを指示する主コマンド信号を主制御信号として副制御回路１４１に出力する。大当たり遊技状態は、大当たり遊技状態終了条件が満足されると終了する。
また、主制御回路１３１は、始動入賞球検出信号、一般入賞球検出信号、大入賞球検出信号が入力されると、それぞれに対応する数の払出数を示す主コマンド信号を主制御信号として払出制御回路１２１（図２参照）に出力する。払出制御回路１２１は、主制御回路１３１から主制御信号が入力されると、主制御信号で示される払出数の遊技球を払出装置から払い出す。
【０００８】
副制御基板１４０には、副制御回路１４１、ＲＯＭやＲＡＭ等の記憶回路１４２、スピーカ１４４を駆動するスピーカ駆動回路１４３、ＬＥＤ等のランプ１４６を駆動するランプ駆動回路１４５等が配設されている。
副制御回路１４１は、主制御回路１３１から出力される主制御信号（抽選結果情報や変動表示時間情報を示す主コマンド信号等）と記憶回路１４２に記憶されている制御プログラムや各種の乱数発生プログラムに基づいて、副制御信号を出力する。
例えば、抽選結果情報及び変動表示時間情報に基づいて、装飾図柄表示装置１６０の液晶パネル１６１に表示する装飾図柄や変動パターン等を決定し、決定した装飾図柄を示す図柄情報や変動パターンを示す変動パターン情報等を含む表示コマンド信号（副コマンド信号）を副制御信号として表示制御回路１５１に出力する。
また、決定した変動パターンに応じた音による演出を行うために、決定した変動パターンを示す変動パターン情報を含む音コマンド信号（副コマンド信号）を副制御信号としてスピーカ駆動回路１４３に出力する。スピーカ駆動回路１４３は、入力された音コマンド信号に対応する音パターンがスピーカ１４４から発生するように、スピーカ１４４に音駆動信号を出力する。
また、決定した変動パターンに応じた光による演出を行うために、決定した変動パターンに応じたランプ制御信号を副制御信号としてランプ駆動回路１４５に出力する。ランプ駆動回路１４５は、入力されたランプ制御信号に基づいて、対応するランプ１４６にランプ駆動信号を出力する（ランプに直流電源を供給する）。
【０００９】
表示制御基板１５０には、表示制御回路１５１、ＶＤＰ(Video  Display  Processor)１５３、ＲＯＭやＲＡＭ等の記憶回路１５２、１５４等が配設されている。記憶回路１５２のＲＯＭには、表示制御プログラムが記憶され、記憶回路１５４のＲＯＭには、装飾図柄の画像データ、キャラクタの画像データ、背景の画像データ等が記憶されている。
表示制御回路１５１は、副制御回路１４１から出力された副制御信号、例えば、図柄情報や変動パターン情報等を含む表示コマンド信号（副コマンド信号）に基づいて、表示制御信号をＶＤＰ１５３に出力する。
ＶＤＰ１５３は、入力された表示制御信号に基づいて、記憶回路１５４のＲＯＭから所定の装飾図柄の画像データ、キャラクタの画像データや背景の画像データ等を読み出し、読み出した各画像データを、大きさや配設位置を調整しながら合成することによって、装飾図柄表示装置１６０の液晶パネル１６１の表示部に対応するビットマップデータを作成して記憶回路１５４のＲＡＭに記憶する。そして、記憶回路１５４のＲＡＭに記憶されているビットマップデータに基づいて、液晶パネル駆動信号を液晶パネル駆動回路１７１に出力し、液晶パネル１７１の表示画面に画像を表示させる。
また、表示制御回路１５１は、冷陰極管駆動回路（表示部照明装置駆動回路）を作動させるあるいは作動を停止させる冷陰極管制御信号を出力する。例えば、冷陰極管を作動させることを示す「Ｌ」レベルの冷陰極管制御信号あるいは冷陰極管の作動を停止させることを示す「Ｈ」レベルの冷陰極管制御信号を出力する。通常、遊技機の電源が投入されると装飾図柄表示装置１６０に画像が表示されるため、表示制御回路１５１に動作電源が供給されて表示制御回路１５１が動作を開始すると、冷陰極管を作動させることを示す冷陰極管制御信号が出力される。
なお、装飾図柄表示装置１７０の液晶パネル１７１への装飾図柄の変動表示時間は、主制御回路１３１で判定された、特別図柄表示装置１３５の変動表示時間と一致する。すなわち、特別図柄表示装置１３５による特別図柄の変動表示の開始時点及び終了時点と、装飾図柄表示装置１７０に表示される装飾図柄の変動表示の開始時点及び終了時点は一致する。
【００１０】
冷陰極管駆動基板１６０には、冷陰極管１７２を駆動する冷陰極管駆動回路が設けられている。冷陰極管駆動回路は、変圧器１０とスイッチング回路２０により構成され、冷陰極管１７２に交流電源を供給するインバータと、スイッチング回路２０を制御する制御回路を有している。本実施の形態では、インバータとして他励式インバータが用いられている。冷陰極管駆動基板１５０は、変圧器１０、スイッチング回路２０、制御回路３０以外の構成要素を有しており、これらの構成要素も冷陰極管駆動基板１６０に配設されている。
冷陰極管駆動回路は、表示制御回路１５１から、冷陰極管呉作動を示す冷陰極制御信号が入力されると、冷陰極管１７２に交流電源を供給する。
冷陰極管駆動回路の構成及び動作は、以下に詳述する。
図１では、冷陰極管駆動基板１６０に、冷陰極管駆動回路を構成する各構成要素を冷陰極管駆動基板１６０に配設しているが、各構成要素の配設態様をこれに限定されない。例えば、変圧器１０とスイッチング回路を、他の基板に配設する態様や、液晶パネルや冷陰極管とともに一体に構成する態様等を用いることができる。
【００１１】
本実施の形態では、液晶パネル１７１が本発明の「表示部」に対応し、冷陰極管１７２が本発明の「表示部を背面側から照明するための表示部照明装置」に対応し、装飾図柄表示装置１７０が本発明の「表示装置」に対応し、変圧器１０、スイッチング回路３０、制御回路３０等によって本発明の「表示部照明装置駆動回路」が構成されている。
【００１２】
次に、本発明の一実施の形態の電源系の概略構成を図２に示す。
本実施の形態の電源系は、電源基板１１０、払出制御基板１２０、主制御基板１３０、副制御基板１４０、表示制御基板１５０、冷陰極管駆動基板１６０等により構成されている。
【００１３】
電源基板１１０には、電圧装置１１１が配設されている。電源装置１１１は、分電基板（図示省略）から供給される２４Ｖ交流電源（ＡＣ２４Ｖ電源）を、電圧が制御されていない３４Ｖ直流電源（ＤＣ３４Ｖ電源）と、電圧が制御された１２Ｖ直流電源（ＤＣ１２Ｖ電源）に変換する。ここで、「電圧が制御されていない直流電源」は、電圧制御回路によって電圧がフィードバック制御されていない直流電源を意味し、「電圧が制御されている直流電源」は、電圧制御回路によって電圧がフィードバック制御されている直流電源を意味する。
【００１４】
ＡＣ２４Ｖ電源を、電圧が制御されていないＤＣ３４Ｖ電源に変換するには、例えば、図３に示す電源変換回路が用いられる。図３に示す電源変換回路は、整流回路Ｓ１１１とコンデンサＣ１１１を有している。整流回路Ｓ１１１としては、半端整流回路や全波整流回路が用いられる。図３では、整流回路Ｓ１１１として全波整流回路が用いられている。また、コンデンサＣ１１１によって平滑回路が構成されている。
これにより、ＡＣ２４Ｖ電源は、整流回路Ｓ１１１によって全波整流された後、コンデンサＣ１１１（平滑回路）によって平滑され、ＡＣ３４Ｖ電源に変換される。このＡＣ３４Ｖ電源は、ＡＣ２４Ｖ電源を整流、平滑しただけであるため、ＡＣ２４Ｖ電源の電圧変動によって電圧が変動する、すなわち、電圧変動が大きい。なお、ＡＣ２４Ｖ電源の電圧を分圧する分圧回路や、ＤＣ３４Ｖ電源の電圧を分圧する分圧回路を設けることもできる。
本明細書では、「ＤＣ３４Ｖ電源」は、ＡＣ２４Ｖ電源を全波整流及び平滑した直流電源を意味するものとして用いている。
【００１５】
ＡＣ２４Ｖ電源を、電圧が制御されたＤＶ１２Ｖ電源に変換するには、例えば、図４に示す電源変換回路が用いられる。図４に示す電源変換回路は、整流回路Ｓ１２１、ダイオードＤ１２１、抵抗Ｒ１２１〜Ｒ１２４、コンデンサＣ１２１、Ｃ１２２、定電圧ダイオード（定電圧回路）ＺＤ１２１、比較器ＣＯＭ１２１、トランジスタ（スイッチング素子）ＳＷ１２１等を有している。
図４では、整流回路Ｓ１２１として全波整流回路が用いられ、コンデンサＣ１２１によって平滑回路が構成され、比較器ＣＯＭ１２１、抵抗Ｒ１２１〜Ｒ１２４、定電圧ダイオードＺＤ１２１、トランジスタＳＷ１２１によって電圧制御回路が構成され、ダイオードＤ１２２とコンデンサＣ１２２によってフィルタ回路が構成されている。
これにより、ＡＣ２４Ｖ電源は、波整流回路Ｓ１２１によって全波整流され、コンデンサＣ１２１（平滑回路）によって平滑された後、電圧制御回路によって、電圧が設定電圧に制御される。すなわち、電圧制御回路の出力電圧が抵抗Ｒ１２３とＲ１２４により構成される電圧検出回路で検出され、比較器ＣＯＭ１２１は、検出した電圧制御回路の出力電圧と定電圧ダイオードＺＤ１２１の定電圧によって設定される設定電圧との偏差に応じてスイッチング素子ＳＷ１２１をオン・オフ制御する（電圧をフィードバック制御する）。電圧制御回路で電圧が制御された直流電圧は、フィルタ回路を介してＤＣ１２Ｖ電源として供給される。
なお、図４に示す波整流回路と平滑回路は、図３に示す、ＡＣ２４Ｖ電源をＤＣ３４Ｖ電源に変換する波整流回路と平滑回路を兼用することもできる。
通常、電源装置１１１は、ＤＣ３４Ｖ電源の電源容量がＤＣ１２Ｖ電源の電源容量より大きくなるように構成されている。
【００１６】
本実施の形態では、電源装置１１１が本発明の「電源装置」に対応し、電源装置１１１に入力されるＡＣ２４Ｖ電源が本発明の「電源装置に入力される交流電源」に対応し、電源装置１１１から供給されるＤＣ１２Ｖ電源が本発明の「電圧が制御された第１の直流電源」に対応し、電源装置１１１から供給されるＤＣ３４Ｖ電源が本発明の「電圧が制御されてなく、電源容量が第１の直流電源より大きい第２の直流電源」に対応する。
【００１７】
電源装置１１１で変換された、電圧が制御されていないＤＣ３４Ｖ電源、電圧が制御されたＤＣ１２Ｖ電源は、図２に示すように、電源線を介して払出制御基板１２０、主制御基板１３０、副制御基板１４０、表示制御基板１５０、冷陰極管駆動回路１６０の順に供給される。
払出制御基板１２０には、電圧変換回路１２３等が配設されている。払出制御基板１２０では、電源装置１１１から供給されるＤＣ３４Ｖ電源、ＤＣ１２Ｖ電源は、それぞれ、ＤＣ３４Ｖ負荷、ＤＣ１２Ｖ負荷に供給される。電圧変換回路１２３は、ＤＣ１２Ｖ電源をＤＣ５Ｖ電源に変換し、動作電源として払出制御回路１２１に供給する。
主制御基板１３０には、電圧変換回路１３６等が配設されている。主制御基板１３０では、電源装置１１１から供給されるＤＣ３４Ｖ電源、ＤＣ１２Ｖ電源は、それぞれ、ＤＣ３４Ｖ負荷、ＤＣ１２Ｖ負荷に供給される。例えば、ＤＶ１２Ｖ電源は、特別図柄表示装置１３５を駆動する表示装置駆動回路１３３に供給される。電圧変換回路１３６は、ＤＣ１２Ｖ電源をＤＣ５Ｖ電源に変換し、動作電源として主制御回路１３１に供給する。
副制御基板１４０には、電圧変換回路１４７等が配設されている。副制御基板１４０では、電源装置１１１から供給されるＤＣ３４Ｖ電源、ＤＣ１２Ｖ電源は、それぞれ、ＤＣ３４Ｖ負荷、ＤＣ１２Ｖ負荷に供給される。例えば、ＤＶ１２Ｖ電源は、スピーカ１４４を駆動するスピーカ駆動回路１４３、ランプ１４６を駆動するランプ駆動回路１４５に供給される。電圧変換回路１４７は、ＤＣ１２Ｖ電源をＤＣ５Ｖ電源に変換し、動作電源として副制御回路１４１に供給する。
表示制御基板１５０には、電圧変換回路１５５等が配設されている。表示制御基板１５０では、電源装置１１１から供給されるＤＣ１２Ｖ電源、ＤＣ３４Ｖ電源は、ＤＣ１２Ｖ負荷、ＤＣ３４Ｖ負荷に供給される。電圧変換回路１５５は、ＤＣ１２Ｖ電源をＤＣ５Ｖ電源に変換し、動作電源として表示制御回路１５１やＶＤＰ１５３に供給する。
冷陰極管駆動基板１６０には、電圧変換回路４０等が配設されている。冷陰極管駆動基板１６０では、電源装置１１１から供給されるＤＣ３４Ｖ電源は、変圧器１０とスイッチング回路２０により構成されるインバータに供給される。電圧変換回路４０は、ＤＣ３４Ｖ電源をＤＣ８Ｖ電源に変換し、動作電源として制御回路３０に供給する。
【００１８】
次に、冷陰極管駆動回路（表示部照明装置駆動回路）の一実施の形態の概略構成を、図５に示すブロック図を用いて説明する。
本実施の形態の冷陰極管駆動回路は、電源装置１１１から供給される、電圧が制御されてなく、ＤＣ１２Ｖ電源より電源容量が大きいＤＣ３４Ｖ電源を交流電源に変換して装飾図柄表示装置１７０にバックライト光源として設けられている冷陰極管１７２に供給する。なお、以下では、装飾図柄表示装置１７０に４本の冷陰極管１７２ａ〜１７２ｅが設けられている場合について説明する。
以下の説明では、「小さい」、「大きい」という記載は、等号を含んでもよいし、等号を含まなくてもよい。また、「設定値より小さい時」及び「設定値より大きい時」という記載では、いずれかに一方に等号が含まれる。
【００１９】
本実施の形態の冷陰極管駆動回路は、図５に示すように、変圧器１０、スイッチング回路２０、スイッチング回路２０を制御する制御回路３０、電圧変換回路４０、動作電源遮断回路５０、電圧検出回路６０、電流検出回路７０、電流低下検出回路８０、阻止回路９０等を有し、各回路は冷陰極管駆動基板１６０に配設されている。冷陰極管駆動基板１６０には、端子１６０ａ〜１６０ｋが設けられている。
端子１６０ａと端子１６０ｃ（接地端子）間には、電源装置１１１からＤＣ３４Ｖ電源が供給される。変圧器１０とスイッチング回路２０によりインバータが構成され、端子１６０ａと端子１６０ｃ間に入力されたＤＣ３４Ｖ電源を交流電源に変換する。端子１６０ｄと端子１６０ｈの間には、バラストコンデンサＣ１７２ａを介して冷陰極管１７２ａが接続される。同様に、端子１６０ｅと端子１６０ｉの間、端子１６０ｆと端子１６０ｊの間、端子１６０ｇと端子１６０ｋの間には、それぞれバラストコンデンサＣ１７２ｂ〜Ｃ１７２ｄを介して冷陰極管１７２ｂ〜１７２ｄが接続される。バラストコンデンサＣ１７２ａ〜Ｃ１７２ｄは、冷陰極管１７２ａ〜１７２ｄの電流を安定化するために設けられている。
また、変圧器１０の各出力端子は端子１６０ｄ〜１６０ｋに接続されている。これにより、インバータで生成された交流電源は、端子１６９ｄ〜１６０ｋからバラストコンデンサＣ１７２ａ〜Ｃ１７２ｄを介して冷陰極管１７２ａ〜１７２ｄに供給される。
【００２０】
交流電源を供給する変圧器１０の各出力端子間、すなわち、冷陰極管１７２ａ〜１７２ｄがそれぞれ接続されている端子１６０ｄと端子１６０ｈの間、端子１６０ｅと端子１６０ｉの間、端子１６０ｆと端子１６０ｊの間、端子１６０ｇと端子１６０ｋの間には、変圧器１０の各出力端子間に供給される交流電源の電圧、すなわち、冷陰極管１７２ａ〜１７２ｄそれぞれの電圧を検出して電圧検出信号を出力する電圧検出回路６０ａ〜６０ｂ（総称して電圧検出回路６０と呼ぶ）が並列に接続されている。
また、交流電源を供給する変圧器１０の各出力端子間、すなわち、冷陰極管１７２ａ〜１７２ｄがそれぞれ接続されている端子１６０ｄと端子１６０ｈの間、端子１６０ｅと端子１６０ｉの間、端子１６０ｆと端子１６０ｊの間、端子１６０ｇと端子１６０ｋの間には、変圧器１０の各出端子間に供給される交流電源の電流、すなわち、冷陰極管１７２ａ〜１７２ｄそれぞれの電流を検出して電流検出信号を出力する電流検出回路７０ａ〜７０ｂ（総称して電流検出回路７０と呼ぶ）が直列に接続されている。
【００２１】
電圧変換回路４０は、端子１６０ａに供給されるＤＣ３４Ｖ電源を、制御回路３０の動作電圧に対応する電圧を有する直流電源（動作電源）に変換する。例えば、ＤＣ３４Ｖ電源をＤＣ８Ｖ電源に変換する。電圧変換回路４０は、端子１６０ｂに接続されている。端子１６０ｂには、冷陰極管制御信号が入力される。例えば、冷陰極管を作動することを示す「Ｌ」レベルの冷陰極管制御信号あるいは冷陰極管の作動を停止することを示す「Ｈ」レベルの冷陰極管制御信号が入力される。
電圧変換回路４０は、冷陰極管を作動することを示す冷陰極管制御信号（例えば、「Ｌ」レベルの冷陰極管制御信号）が端子１６０ｂに入力されると、ＤＣ３４Ｖ電源を制御回路３０の動作電源（例えば、ＤＣ８Ｖ電源）に変換する動作を開始し、制御回路３０の電源端子３０ａに動作電源を供給する。一方、冷陰極管の作動を停止することを示す冷陰極管制御信号（例えば、「Ｈ」レベルの冷陰極管制御信号）が端子１６０ｂに入力されると、ＤＣ３４Ｖ電源を制御回路３０の動作電源に変換する動作を停止する。
【００２２】
電流低下検出回路８０は、電流検出回路７０ａ〜７０ｄそれぞれで検出される冷陰極管１７２ａ〜１７２ｄそれぞれの電流検出信号と、制御回路３０の設定信号出力端子３０ｅから出力される下限電流設定値を比較し、電流検出信号が下限電流設定値より小さいか否かを示す電流低下信号を制御回路３０の電流低下信号入力端子３０ｆに出力する。例えば、電流検出信号が下限電流設定値より小さい時には「Ｈ」レベル、大きい時には「Ｌ」レベルの電流低下信号を出力する。下限電流設定値としては、冷陰極管１７２ａ〜１７２ｄの電流が低下していることを判別可能な値が設定される。典型的には、電流が流れていないことを判別する「０」が設定される。
「電流検出信号が下限電流設定値より小さいか否か」は、等号を含んでもよいし、含んでいなくてもよい。例えば、［電流検出信号≦下限電流設定値］であるか否かを示す電流低下信号を出力してもよいし、［電流検出信号＜下限電流設定値］であるか否かを示す電流低下信号を出力してもよい。
【００２３】
なお、電源投入時には、動作電源が供給されて制御回路３０が動作を開始し、スイッチング回路２０の制御を開始するまで冷陰極管１７２ａ〜１７２ｄには電流が流れない。このため、制御回路３０が動作を開始してスイッチング回路２０の制御を開始するまで、少なくとも、電流検出信号が下限電流設定値より小さいことを示す電流低下信号が制御回路の電流低下信号入力端子に入力されるのを阻止するのが好ましい。
本実施の形態では、阻止回路９０を設けている。本実施の形態の阻止回路９０は、制御回路３０の電流低下信号入力端子３０ｆを、電流が下限電流設定より大きいことを示す電流低下信号が入力されている状態とする。例えば、制御回路３０の電流低下信号入力端子３０ｆを接地端子に接続し、電流低下信号入力端子３０ｆを、電流検出信号が下限電流設定値より大きいことを示す「Ｌ」レベルの電流低下信号が入力された状態とする。
また、制御回路３０は、動作電源の供給が開始され、動作電源の電圧が制御回路３０の動作可能電圧に達したことにより動作を開始し、リセット処理を実行した後にスイッチング回路２０を制御してインバータを作動させる。このリセット処理は、制御回路３０のリセット処理手段によって実行される。
そこで、本実施の形態の阻止回路９０は、制御回路３０に供給される動作電源の電圧が、動作電源の供給によって制御回路３０が動作を開始し、スイッチング回路２０が制御されてインバータから冷陰極管１７２ａ〜１７２ｄへの交流電源の供給が開始される時点における動作電源の電圧の値より小さい時に、電流検出信号が下限電流設定値より小さいことを示す電流低下信号が制御回路３０の電流低下信号入力端子３０ｆに入力されるのを阻止するように構成されている。
【００２４】
ここで、自励式インバータは、ＩＣを使用しないためＩＣのバラツキによる影響を受け難い。このため、従来の遊技機では、冷陰極管駆動回路のインバータとして自例式インバータが用いられている。
一方、本実施の形態では、電圧が制御されていないＤＣ３４Ｖ電源をインバータに供給している。電圧が制御されていないＤＣ３４Ｖ電源は、電源装置１１１に供給される交流電源（ＡＣ２４Ｖ電源）の電圧変動の影響を大きく受ける。このような電圧変動が大きいＤＣ３４Ｖ電源を自例式インバータに供給すると、自例式インバータの動作が安定しない。
そこで、本実施の形態では、インバータとして、入力電源の電圧変動に強い他励式インバータを用いている。すなわち、発振回路から出力される設定周波数の発振信号を用いてスイッチング回路２０をオン・オフ制御する制御回路３０を設けている。
【００２５】
本実施の形態の制御回路３０は、設定周波数の発振信号と、各入力端子に入力される入力信号に基づいてスイッチング回路２０をオン・オフ制御する。例えば、設定周波数の発振信号と、電流検出信号入力端子３０ｄに入力される電流検出信号と電流設定値との電流偏差信号に基づいて、ＰＷＭ制御信号（パルス幅変調制御信号）を生成し、生成したＰＷＭ制御信号によってスイッチング回路２０を制御することにより、冷陰極管１７２ａ〜１７２ｄの電流を電流設定値に制御する。スイッチング回路２０のオン・オフ制御は、制御回路３０のオン・オフ制御手段によって実行される。
なお、設定周波数の発振信号と、電流偏差信号と、電圧検出信号入力端子３０ｃに入力される冷陰極管１７２ａ〜１７２ｄの電圧検出信号と電圧設定信号との電圧偏差信号に基づいてＰＷＭ制御信号を生成し、生成したＰＷＭ制御信号によってスイッチング回路２０を制御することもできる。この場合には、電流偏差信号による制御を電圧偏差信号による制御より優先するように構成するのが好ましい。
また、電流低下検出回路９０から制御回路３０の電流低下信号入力端子３０ｆに、電流検出信号が下限電流設定値より小さくなったことを示す電流低下信号が入力されると、制御回路３０は、スイッチング回路２０をオフ制御して、冷陰極管１７２ａ〜１７２ｄの電流を「０」にする電流低下異常処理を実行する（電流低下異常モードを設定する）。電流低下異常処理は、制御回路３０の電圧低下異常処理手段によって実行される。
【００２６】
ここで、他励式インバータの制御回路３０は、一般的に、電圧検出信号入力端子３０ｃに入力される、インバータから供給される交流電源の電圧、すなわち、冷陰極管１７２ａ〜１７２ｄの電圧が下限電圧設定値（以下、「第１の下限電圧設定値」という）より小さくなると、スイッチング回路２０をオフ制御する電圧低下異常処理を実行する（電圧低下異常モードに設定する）。例えば、ＤＣ３４Ｖ電源の電圧は２０Ｖ〜４０Ｖ程度の範囲で変動し、制御回路３０は、電圧検出信号が１９Ｖより小さくなると、電圧低下異常処理を実行する。電圧低下異常処理は、制御回路３０の電圧低下異常処理手段によって実行される。
電圧低下異常処理手段による電圧低下異常処理（電圧低下異常モードの設定）は保持される。例えば、電圧低下フラグが、電圧が低下したことを示す「１」にセットされる。そして、この電圧低下異常処理の保持は、制御回路３０（制御回路３０のリセット処理手段）がリセット処理を実行することによって確実に解除される。例えば、制御回路３０のリセット処理によって、電圧低下フラグが、電圧が低下していないことを示す「０」にリセットされる。
【００２７】
通常、遊技機に設けられている制御回路（制御回路のリセット処理手段）は、電源の投入によって動作電源が供給され、動作電源の電圧が制御回路の動作可能電圧に達した時に（動作電源の供給による動作開始時に）リセット処理を実行するように構成されている。
したがって、停電等によってＤＣ３４Ｖ電源の電圧が低下し、電圧検出信号入力端子３０ｃに入力される電圧検出信号（インバータから供給される交流電源の電圧あるいは冷陰極管１７２ａ〜１７２ｄの電圧）が第１の下限電圧設定値より小さくなって制御回路３０（制御回路３０の電圧低下異常処理手段）が電圧低下異常処理を実行した後、電圧変換回路４０から供給される動作電源の電圧が制御回路３０の動作不能電圧より小さくなる（典型的には、「０」になる）場合には問題はない。すなわち、この場合には、その後、停電等が復帰してＤＣ３４Ｖ電源の電圧が上昇すると、電圧変換回路４０から制御回路３０の電源端子３０ａに供給される動作電源の電圧も上昇する。そして、制御回路３０の電源端子３０ａに供給される動作電源の電圧が制御回路３０の動作開始電圧に達した時に、制御回路３０（制御回路３０のリセット処理手段）がリセット処理を実行する。これにより、電圧低下異常処理の保持が解除される。
しかしながら、ＤＣ３４Ｖ電源は電源容量が大きいため、停電等が発生した場合には、ＤＣ３４Ｖ電源の電圧はゆっくりと低下する。このため、電圧検出信号が第１の下限電圧設置値より小さくなって制御回路３０が電圧低下異常処理を実行した後、電圧変換回路４０から供給される動作電源の電圧が制御回路３０の動作不能電圧より小さくなる前に（制御回路の動作が停止する前に）、停電等の復帰によってＤＣＶ３４Ｖ電源の電圧が上昇すると、制御回路３０（制御回路３０のリセット処理手段）は、動作電源の供給による動作開始時であることを判別しないため、リセット処理を実行しない。この場合には、電圧低下異常処理が保持されたままであるため、ＤＣ３４Ｖ電源が正常に復帰したにも関わらず、冷陰極管１７２ａ〜１７２ｄが動作しないという状態となり、液晶パネル１６１に表示されている画像が見難い。
【００２８】
本実施の形態では、動作源遮断回路５０を設けることにより、停電等によってＤＣ３４Ｖ電源が低下し、電圧検出信号が第１の下限設定値より小さくなって制御回路３０が電圧低下異常処理を実行した場合、停電等の復帰時に制御回路３０（制御回路３０のリセット処理手段）が確実にリセット処理を実行するように構成している。
動作電源遮断回路５０は、ＤＣ３４Ｖ電源の電圧が第２の下限電圧設定値より小さい時には、電圧変換回路４０から制御回路３０の電源端子３０ａへの動作電源（例えば、ＤＣ８Ｖ電源）の供給を遮断し、ＤＣ３４電源の電圧が第２の下限電圧設定値より大きい時には、電圧変換回路４０から制御回路３０の電源端子３０ａへの動作電源の供給を許可する。
【００２９】
ここで、第２の下限電圧設定値は、第１の下限電圧設定値に応じて設定される。この場合、制御回路３０が電圧低下異常処理を実行した後に、電源遮断回路５０が電圧変換回路４０から制御回路３０の電源端子３０ａへの動作電源の供給を遮断するように構成する。すなわち、第２の下限電圧設定値を、電圧検出信号が第１の下限電圧設定値と等しくなる時のＤＣ３４Ｖ電源の電圧より小さい値に設定する。また、電圧検出回路６０ａ〜６０ｄに設けられているフィルタ回路等によって、電圧検出信号が第１の下限電圧設定値より小さくなったことが検出されるまでに遅れ時間があることを考慮して設定する。また、電圧変換回路４０から供給される動作電源の電圧が、制御回路３０が動作不能となる値に達する前に、動作電源遮断回路５０が電圧変換回路４０から制御回路３０への動作電源の供給を遮断するように設定する。
これにより、停電等によってＤＣ３４Ｖ電源の電圧が低下し、電圧検出信号が第１の下限電圧設定値より小さくなって制御回路３０が電圧低下異常処理を実行した場合、ＤＣ３４Ｖ電源の電圧が第２の下限電圧設定値より小さくなると、動作電源遮断回路５０は、電圧変換回路４０から制御回路３０の電源端子３０ａへの動作電源の供給を遮断する。その後、停電等が復帰してＤＣ３４Ｖ電源の電圧が上昇した場合、ＤＣ３４Ｖ電源の電圧が第２の下限電圧設定値より大きくなると、動作電源遮断回路５０は、電圧変換回路４０から制御回路３０の電源端子３０ａへの動作電源の供給を許可する。これにより、制御回路３０の電源端子３０ａへの動作電源の供給が開始され、動作電源の電圧が制御回路３０の動作開始電圧に達すると、制御回路３０（制御回路３０のリセット処理手段）リセット処理を実行する。
この動作は、制御回路路３０が電圧低下異常処理を実行した後、ＤＣ３４Ｖ電源の電圧が第２の下限電圧設定値より小さい範囲内のどの値で停電等が復帰しても同じである。
このように動作電源遮断回路５０を設けることにより、制御回路３０の電圧低下異常処理の保持を確実に解消することができ、ＤＣ３４Ｖ電源が正常であるにも関わらず冷陰極管１７２ａ〜１７２ｄが動作しないという状態が発生するのを確実に防止することができる。
【００３０】
本実施の形態では、変圧器１０とスイッチング回路２０と制御回路３０により構成されるインバータが本発明の「電圧が制御されていない第２の直流電源を交流電源に変換して表示部照明装置に供給する電源変換回路」に対応し、電圧変換回路４０が本発明の「電圧変換回路」に対応し、動作電源遮断回路５０が本発明の「動作電源遮断回路」に対応し、電流低下検出回路８０が本発明の「電流低下検出回路」に対応する。また、電圧変換回路４０と動作電源遮断回路５０によって本発明の「動作電源供給回路」が構成されている。また、本実施の形態では、制御回路３０によって、オン・オフ制御手段、リセット処理手段、電圧低下処理手、電流低下異常処理手段の処理が実行されるように構成されている。
【００３１】
図５に示した冷陰極管駆動回路の具体的な回路構成の一例を図６に示す。なお、図６では、図５に示されている冷陰極管駆動基板１６０の端子１６０ａ〜１６０ｋ及び制御回路３０の端子３０ａ〜３０ｇの符号の図示を省略している。
【００３２】
スイッチング回路２０は、ＦＥＴ（スイッチング素子）ＳＷ２１とＳＷ２２の直列回路とＦＥＴ（スイッチング素子）ＳＷ２３とＳＷ２４の直列回路を一方の電源端子１６０ａと他方の電源端子（接地端子）１６０ｃの間に並列に接続したブリッジ回路として構成されている。
【００３３】
変圧器１０は、並列に接続されている２つの変圧器１１と１２により構成されている。変圧器１１は、直列に接続された１次巻線Ｍａ１とＭｂ１、並列に接続された２次巻線Ｍａ２とＭｂ２を有している。すなわち、１次巻線Ｍａ１の一方の端子がスイッチング回路２０の一方の出力端子に接続され、１次巻線Ｍａ１の他方の端子と１次巻線Ｍｂ１の一方の端子が接続され、１次巻線Ｍｂ１の他方の端子がスイッチング回路２０の他方の出力端子に接続されている。また、２次巻線Ｍａ２の一方の端子が端子１６０ｄに接続され、２次巻線Ｍｂ２の一方の端子が端子１６０ｅに接続され、２次巻線Ｍａ２とＭｂ２の他方の端子が他方の電源端子（接地端子）１６０ｃに接続されている。変圧器１２は、直列に接続された１次巻線Ｍｃ１とＭｄ１、並列に接続された２次巻線Ｍｃ２とＭｄ２を有している。すなわち、１次巻線Ｍｃ１の一方の端子がスイッチング回路２０の他方の出力端子に接続され、１次巻線Ｍｃ１の他方の端子と１次巻線Ｍｄ１の一方の端子が接続され、１次巻線Ｍｄ１の他方の端子がスイッチング回路２０の一方の出力端子に接続されている。また、２次巻線Ｍｃ２の一方の端子が端子１６０ｆに接続され、２次巻線Ｍｄ２の一方の端子が端子１６０ｇに接続され、２次巻線Ｍｃ２とＭｄ２の他方の端子が他方の電源端子（接地端子）１６０ｃに接続されている。
【００３４】
制御回路３０は、ＦＥＴ（スイッチング素子）ＳＷ２１とＳＷ２４、ＦＥＴ（スイッチング素子）ＳＷ２２とＳＷ２３に交互に、設定周波数に対応するＰＷＭ制御信号を出力することによって変圧器１１及び１２の２次巻線Ｍａ２〜Ｍｄ２から設定周波数の交流電源を供給する。
スイッチング回路２０に並列に接続されているコンデンサＣ１は、無効電力を抑制し、効率を向上させるためのものである。すなわち、コンデンサＣ１の容量、変圧器１１、１２の漏れインダクタンス、冷陰極管１２６ａ〜１２６ｄの浮遊容量によって定まる共振周波数を設定周波数に一致させることによって、無効電力を抑制することができる。
スイッチング素子としては、種々の素子を用いることができる。
【００３５】
電圧変換回路４０は、抵抗Ｒ４１〜Ｒ４８８、コンデンサＣ４１〜Ｃ４３、トランジスタ（スイッチング素子）ＳＷ４１〜ＳＷ４４、定電圧ダイオード（定電圧回路）ＺＤ４１等により構成されている。
トランジスタＳＷ４４のベースは、端子１６０ｂに接続されている。トランジスタＳＷ４１のコレクタは、ＤＣ３４Ｖ電源が入力される端子１６０ａに抵抗Ｒ４１を介して接続されている。トランジスタＳＷ４３のコレクタは、端子１６０ａに接続されている。抵抗Ｒ４２とコンデンサＣ４１の接続点は、制御回路３０の電源端子３０ａと電流低下検出回路８０に接続されている。スイッチング素子としては、種々の素子を用いることができる。
通常状態では、端子１６０ｂは「Ｈ」レベルとなっており、トランジスタＳＷ４４がオン状態、トランジスタＳＷ４３がオフ状態にある。このため、ダーリントン接続されているトランジスタＳＷ４１とＳＷ４２がオフ状態にあり、電圧変換回路４０は電圧変換動作を停止している。
この状態で、表示制御回路１５１から、冷陰極管を動作させることを示す冷陰極管制御信号（例えば、「Ｌ」レベルの冷陰極管制御信号）が端子１６０ｂに入力されると、トランジスタＳＷ４４がオフ状態、トランジスタＳＷ４３がオン状態となる。これにより、トランジスタＳＷ４１とＳＷ４２がオン状態となり、電圧変換回路４０は電圧変換動作を開始する。すなわち、抵抗Ｒ４２とコンデンサＣ４１との接続点の電圧が、定電圧ダイオードＺＤ４１の定電圧に対応する電圧に制御される。したがって、制御回路３０の電源端子３０ａには、定電圧ダイオードＺＤ４１の定電圧に対応する電圧を有する直流電源が動作電源として供給される。
定電圧ダイオードＺＤ４１によって電圧変換回路４０から制御回路３０の電源端子３０ａに供給される動作電源の電圧が設定される。例えば、８Ｖに設定される。
【００３６】
電源遮断回路５０は、抵抗Ｒ５１〜Ｒ５３、トランジスタ（スイッチング素子）ＳＷ５１、ＳＷ５２、定電圧ダイオード（定電圧回路）ＺＤ５１を有している。
トランジスタＳＷ５１のコレクタは、電圧変換回路４０のトランジスタＳＷ４１のベースに接続されている。抵抗Ｒ５１と定電圧ダイオードＺＤ５１の接続点は、端子１６０ａに接続されている。
端子１６０ａに入力されるＤＣ３４Ｖ電源の電圧が、定電圧ダイオードＺＤ５１の定電圧と抵抗Ｒ５２及びＲ５３の抵抗値によって定まる設定電圧より小さい時には、トランジスタＳＷ５２がオフ状態、トランジスタＳＷ５１がオン状態となる。これにより、電圧変換回路４０のトランジスタＳＷ４１とＳＷ４２がオフ状態となり、電圧変換回路４０の電圧変換動作は停止する。すなわち、電圧変換回路４０の電圧変換動作が、電源遮断回路５０によって停止され、制御回路３０の電源端子３０ａへの動作電源の供給が遮断される。
一方、端子１６０ａに入力されるＤＣ３４Ｖ電源の電圧が、定電圧ダイオードＺＤ５１の定電圧と抵抗Ｒ５２及びＲ５３の抵抗値によって定まる設定電圧より大きい時には、定電圧ダイオードＺＤ５１が導通し、トランジスタＳＷ５２がオン状態、トランジスタＳＷ５１がオフ状態となる。これにより、電圧変換回路４０のトランジスタＳＷ４１とＳＷ４２がオン状態に移行可能となる。すなわち、電圧変換回路４０の電圧変換動作の停止が解除され、制御回路３０の電源端子３０ａへの動作電源の供給が許可される。
定電圧ダイオードＺＤ５１の定電圧と抵抗Ｒ５２及びＲ５３の抵抗値によって定まる設定電圧が、前述した第２の下限電圧設定値に対応する。
【００３７】
電圧検出回路６０ａは、コンデンサＣ６１ａとＣ６２ａにより構成される高周波フィルタ回路と、整流回路Ｓ６１ａを有し、変圧器１１の２次巻線Ｍａ２から供給される交流電源の電圧、すなわち、冷陰極管１７２ａの電圧（端子１６０ｄと１６０ｈの間の電圧）を、抵抗Ｒ６１とＲ６２により構成される分圧器に出力する。電圧検出回路６０ｂ〜６０ｄも同様に、コンデンサＣ６１ｂとＣ６２ｂ、Ｃ６１ｃとＣ６２ｃ、Ｃ６１ｄとＣ６２ｄにより構成される高周波フィルタ回路と、整流回路Ｄ６１ｂ〜Ｄ６１ｄを有し、変圧器１１の２次巻線Ｍｂ２、変圧器１２の２次巻線Ｍｃ２、Ｍｄ２から供給される交流電源の電圧、すなわち、冷陰極管１７２ｂ〜１７２ｄの電圧を分圧器に出力する。図６では、整流回路Ｓ６１ａ〜Ｓ６１ｄとして全波整流回路が用いられている。
これにより、分圧器を構成する抵抗Ｒ６１とＲ６２の接続点には、２次巻線Ｍａ２、Ｍｂ２、Ｍｃ２、Ｍｄ２から供給される交流電源の電圧、すなわち、冷陰極管１７２ａ〜１７２ｄの電圧のうち最も大きい電圧に対応する電圧が発生する。この抵抗Ｒ６１とＲ６２の接続点の電圧は、電圧検出信号として制御回路３０の電圧検出信号入力端子３０ｃに入力される。
【００３８】
電流検出回路７０ａは、変圧器１１の２次巻線Ｍａ２から供給される交流電源の電流、すなわち、冷陰極管１７２ａの電流が流れる抵抗Ｒ７１ａの両端電圧を整流回路Ｓ７１ａを介して電流検出信号として、制御回路３０の電流検出信号入力端子３０ｄに入力する。電流検出回路７０ｂ〜７０ｄも同様に、変圧器１１の２次巻線Ｍｂ２、変圧器１２の２次巻線Ｍｃ２、Ｍｄ２から供給される交流電源の電流、すなわち、冷陰極管１７２ｂ〜１７２ｄの電流が流れる抵抗Ｒ７１ｂ〜Ｒ７１ｄの両端電圧を整流回路Ｓ７１ｂ〜Ｓ７１ｄを介して電流検出信号として、制御回路３０の電流検出信号入力端子３０ｄに入力する。図６では、整流回路Ｓ７１ａ〜Ｓ７１ｄとして全波整流回路が用いられている。
これにより、制御回路３０の電流検出信号入力端子３０ｄには、冷陰極管１７２ａ〜１７２ｄの電流のうち最も大きい電流に対応する電流検出信号が入力される。
【００３９】
電流低下検出回路８０は、整流回路Ｓ８１ａ〜Ｓ８１ｄ、コンデンサＣ８１ａ〜Ｃ８１ｄ、Ｃ８２〜Ｃ８５、抵抗Ｒ８１ａ〜Ｒ８１ｄ、Ｒ８２〜Ｒ８４、比較器ＣＯＭａ〜ＣＯＭｄ、逆流防止回路Ｐ８１ａ、Ｐ８１ｂ、Ｐ８２を有している。
電流検出回路７０ａで検出された冷陰極管１７２ａの電流は、整流回路Ｓ８１ａ、コンデンサＣ８１ａと抵抗Ｒ８１ａにより構成されるフィルタ回路を介して比較器ＣＯＭａの反転入力端子に入力される。同様に、電流検出回路７０ｂ〜７０ｄで検出された冷陰極管１７２ｂ〜１７２ｄの電流は、整流回路Ｓ８１ｂ〜Ｓ８１ｄ、コンデンサＣ８１ｂ〜Ｃ８１ｄと抵抗Ｒ８１ｂ〜Ｒ８１ｄにより構成されるフィルタ回路を介して比較器ＣＯＭｂ〜ＣＯＭｄの反転入力端子に入力される。図６では、整流回路Ｓ８１ａ〜Ｓ８１ｄとして半波整流回路が用いられている。
比較器ＣＯＭａ〜ＣＯＭｄの非反転入力端子には、制御回路３０の設定信号出力端子３０ｅから出力される下限電流設定値が入力される。これにより、比較器ＣＯＭａ〜ＣＯＭｄは、それぞれ、反転入力端子に入力される冷陰極管１７２ａ〜１７２ｄの電流の絶対値が非反転入力端子に入力される下限電流設定値より小さい時には、電流検出信号が下限電流設定値より小さいことを示す「Ｈ」レベルの信号を出力し、冷陰極管１７２ａ〜１７２ｄの電流の絶対値が非反転入力端子に入力される下限電流設定値より大きい時には、電流検出信号が下限電流設定値より大きいことを示す「Ｌ」レベルの信号を出力する。
比較器ＣＯＭａあるいはＣＯＭｂからの「Ｈ」レベルの信号は、逆流防止回路Ｐ８１ａを介して出力される。同様に、比較器ＣＯＭｃあるいはＣＯＭｄからの「Ｈ」レベルの信号は、逆流防止回路Ｐ８１ｂを介して出力される。逆流防止回路Ｐ８１ａ及びＰ８１ｂの出力信号は、抵抗Ｒ８２、Ｒ８３、コンデンサＣ８３、Ｃ８４を介して逆流防止回路Ｐ８２の一方に電流低下信号として入力される。
逆流防止回路Ｐ８２の他方には、阻止回路９０の出力信号が入力される。逆流防止回路Ｐ８２は、両入力が「Ｈ」レベルである時には「Ｈ」レベルの電流低下信号を、少なくとも一方の入力が「Ｌ」レベルである時には「Ｌ」レベルの電流低下信号を、抵抗Ｒ８４とコンデンサＣ８５を介して制御回路３０の電流低下信号入力端子３０ｆに入力する。
【００４０】
阻止回路９０は、抵抗Ｒ９１〜Ｒ９５、コンデンサＣ９１、トランジスタ（スイッチング素子）ＳＷ９１、ＳＷ９２を有している。
コンデンサＣ９１と抵抗Ｒ９１の接続点は、電圧変換回路４０の抵抗Ｒ４２とコンデンサＣ４１の接続点（電圧変換回路４０から出力される動作電源の電圧）に接続されている。抵抗Ｒ９３は、端子１６０ａに接続されている。
制御回路３０の電源端子３０ａに供給されている動作電源の電圧を抵抗Ｒ９１とＲ９２で分圧した電圧がトランジスタＳＷ９１のオン電圧（前述した、第３の下限電圧設定値に対応する）より小さい時（制御回路３０の動作が開始されていない時）には、トランジスタＳＷ９１がオフ状態、トランジスタＳＷ９２がオン状態となる。これにより、逆流防止回路Ｐ８２の他方の入力が「Ｌ」レベルとなり、逆流防止回路Ｐ８１ａ及びＰ８１ｂからの信号に関係なく「Ｌ」レベルの電流低下信号が制御回路３０の電流低下信号入力端子３０ｆに入力される。すなわち、逆流防止回路Ｐ８１ａ及びＰ８１ｂから出力される、電流検出信号が下限電流設定値より小さいことを示す「Ｈ」レベルの電流低下信号の制御回路３０の電流低下信号入力端子３０ｆへの入力が阻止される。
一方、制御回路３０の電源端子３０ａに供給されている動作電源の電圧を抵抗Ｒ９１とＲ９２で分圧した電圧がトランジスタＳＷ９１のオン電圧より大きい時（制御回路３０の動作が開始された時）には、トランジスタＳＷ９１がオン状態、トランジスタＳＷ９２がオフ状態となる。これにより、逆流防止回路Ｐ８２の他方の入力が「Ｈ」レベルとなり、逆流防止回路Ｐ８２は、逆流防止回路Ｐ８１ａ及びＰ８１ｂからの「Ｈ」レベルの信号あるいは「Ｌ」レベルの信号がそのまま制御回路３０の電流低下信号入力端子３０ｅに入力する。すなわち、逆流防止回路Ｐ８１ａ及びＰ８１ｂから出力される、電流検出信号が下限電流設定値より小さいことを示す「Ｈ」レベルの電流低下信号の制御回路３０の電流低下信号入力端子３０ｆへの入力が許可される。
【００４１】
以上のように、本実施の形態では、冷陰極管駆動回路に、電源装置から供給されている、電圧が制御された第１の直流電源（例えば、ＤＣ１２Ｖ電源）に代えて、電圧が制御されてなく、第１の直流電源より電源容量が大きい第２の直流電源（例えば、ＤＣ３４Ｖ電源）を供給している。これにより、電源装置を変更することなく、冷陰極管駆動回路の電源の電源容量を増加することができる。したがって、冷陰極管（表示部照明装置）の数が多い液晶表示装置を、電源装置を変更することなく使用することができ、遊技演出効果が高い遊技機を安価に構成することができる。
また、冷陰極管駆動回路のインバータとして他励式インバータを用いている。これにより、電圧が制御されている第１の直流電源に比べて電圧変動が非常に大きい、電圧が制御されていない第２の直流電源を励陰極管の電源として用いた場合でも、安定した交流電源を供給することができる。
また、第２の直流電源の電圧が第２の下限電圧設定値より小さい時には、他励式インバータの制御回路への動作電源の供給を遮断するように構成されている。これにより、第２の直流電源の電圧低下に起因して他励式インバータから供給される交流電源の電圧が第１の下限電圧設定より小さくなり、制御回路（制御回路の電圧低下異常処理手段）がスイッチング回路をオフ制御する電圧低下保護処理を実行した後に、第２の直流電源の電圧低下が復帰した場合には、制御回路（制御回路のリセット処理手段）が確実にリセット処理を実行するため、第２の直流電源が正常であるにも関わらず励陰極管が動作しない状態となるのを確実に防止することができる。
さらに、種々の保護処理を実行することができる。
【００４２】
本発明は、実施の形態で説明した構成に限定されず、種々の変更、追加、削除が可能である。
例えば、動作電源遮断回路を、第２の直流電源の電圧が第２の下限電圧設定値より小さい時には電圧変換回路から制御回路に供給される動作電源をバイパスし、第２の下限電圧設定値より大きい時には制御回路への動作電源の供給を許可するように構成したが、第２の下限電圧設定値より小さい時には電圧変換回路と制御回路の接続を遮断して動作電源の供給を遮断し、第２の下限電圧設定値より大きい時には電圧変換回路と制御回路を接続して動作電源の制御回路への供給を許可するように構成することもできる。
電圧変換回路と動作電源遮断回路を設けたが、電圧変換回路と動作電源遮断回路の機能を備える動作電源供給回路を設けることもできる。
制御回路の電圧低下異常処理手段は、インバータから供給される交流電源の電圧（表示部照明装置の電圧）が第1の下限電圧設定値より小さくなった時に電圧低下保護処理を実行するように構成したが、第２の直流電源の電圧が下限電圧設定値より小さくなった時に電圧低下保護処理を実行するように構成することもできる。
表示部照明装置の電圧と電流を制御するように構成したが、これらの制御は適宜選択することができる。
制御回路の電流低下異常処理手段により、表示部照明装置の電流低下に起因して電流低下異常処理を実行するように構成したが、電流低下異常処理（電流低下異常処理手段）は省略することもできる。この場合には、電流低下検出回路や阻止回路を省略することができる。
表示部及び表示部を背面側から照明する表示部照明装置としては種々の表示部及び表示部照明装置を用いることができる。
各手段の処理を制御回路により実行したが、各手段の処理を実行する処理回路を設けることもできる。
電源装置としては、ＡＣ２４Ｖ電源を入力し、第１の直流電源であるＤＣ１２Ｖ源電と第２の直流電源であるＤＣ３４Ｖ電源を供給する電源装置に限定されず、種々の電圧や電源容量を有する第1の直流電源と第２の直流電源を供給する電源装置を用いることができる。勿論、第１の直流電源及び第２の直流電源以外の直流電源を供給する電源装置を用いることもできる。
表示部照明装置駆動回路としては、種々の構成の駆動回路を用いることができる。
パチンコ機として構成した場合について説明したが、本明細書に開示されている技術はパチンコ機以外の種々の遊技機に適用することができる。
【００４３】
本発明は、以下のように構成することができる、
例えば、「（態様１）請求項１の遊技機であって、前記動作電源供給回路は、前記電源装置から供給される第２の直流電源を前記制御回路の動作電圧に対応する電圧を有する動作電源に変換する電圧変換回路と、前記電源装置から供給される第２の直流電源の電圧が第２の下限電圧設定値より小さい時には前記電圧変換回路から前記制御回路への動作電源の供給を遮断し、前記電源装置から供給される第２の直流電源の電圧が第２の下限電圧設定値より大きい時には前記電圧変換回路から前記制御回路への動作電源の供給を許可する動作電源遮断回路を有していることを特徴とする遊技機。」として構成することができる。
本発明では、動作電源供給回路は、電圧変換回路と動作電源遮断回路により構成されている。電圧変換回路は、第２の直流電源を制御回路の動作電圧に対応する電圧を有する動作電源に変換する。動作電源遮断回路は、第２の直流電源の電圧が第２の下限電圧設定値より小さい時には電圧変換回路から制御回路への動作電源の供給を遮断し、第２の直流電源の電圧が第２の下限電圧設定値より大きい時には電圧変換回路から制御回路への動作電源の供給を許可する。
動作電源遮断回路は、電圧変換回路から制御回路への動作電源の通過を阻止するように構成することもできるし、電圧変換回路から制御回路への動作電源をバイパスするように構成することもできる。
第２の下限電圧設定値は、第１の下限電圧設定値に応じて設定される。第２の下限電圧設定値は、電源変換回路から供給される交流電源の電圧が第１の下限電圧設定値より小さくなって制御回路がスイッチング回路をオフ制御する電圧低下異常処理を実行した後に、動作電源遮断回路が、電圧変換回路から制御回路への動作電源の供給を遮断するように設定される。
本発明では、動作電源供給回路を電圧変換回路と動作電源遮断回路により構成しているため、一方を変更するのみで動作電源供給回路を容易に変更することができる。
【００４４】
また、「（態様２）請求項１の遊技機であって、前記動作電源供給回路は、前記電源装置から供給される第２の直流電源を前記制御回路の動作電圧に対応する電圧を有する動作電源に変換して前記表示部照明装置に供給する電圧変換回路と、前記電源装置から供給される第２の直流電源の電圧が第２の下限電圧設定値より小さい時には前記電圧変換回路の動作を停止させ、前記電源装置から供給される第２の直流電源の電圧が第２の下限電圧設定値より大きい時には前記電圧変換回路の動作を許可する動作電源遮断回路を有していることを特徴とする遊技機。」として構成することができる。
本発明では、動作電源供給回路は、電圧変換回路と動作電源遮断回路により構成されている。電圧変換回路は、第２の直流電源を制御回路の動作電圧に対応する電圧を有する動作電源に変換する。動作電源遮断回路は、第２の直流電源の電圧が第２の下限電圧設定値より小さい時には電圧変換回路の動作を停止させ、第２の直流電源の電圧が第２の下限電圧設定値より大きい時には電圧変換回路の動作を許可する。
第２の下限電圧設定値は、態様１と同様の方法で設定される。
本発明では、動作電源遮断回路は、電圧変換回路の作動を停止あるいは許可するのみでよいため、安価に簡単に構成することができる。また、本発明では、動作電源供給回路を電圧変換回路と動作電源遮断回路により構成しているため、一方を変更するのみで動作電源供給回路を容易に変更することができる。
【００４５】
また、「（態様３）請求項１、態様１または２のいずれかの遊技機であって、前記制御回路は、前記設定周波数の発振信号と前記表示部照明装置の電流を用いて前記スイッチング回路をオン・オフ制御することを特徴とする遊技機。」として構成することができる。
本発明では、制御回路は、表示部照明装置の電流に基づいて、典型的には設定電流値となるようにスイッチング回路を制御する。
本発明では、表示部照明装置の電流を制御することができるため、表示部照明装置を安定に動作させることができる。
【００４６】
また、「（態様４）請求項1、態様１〜３のいずれかの遊技機であって、前記表示部照明装置の電流が下限電流設定値より小さい時に、電流が低下したことを示す電流低下信号を前記制御回路に出力する電流低下検出回を有し、前記制御回路は、電流が低下したことを示す電流低下信号が入力されると、前記スイッチング回路をオフ制御する電流低下異常処理を実行する電流低下異常処理手段を有していることを特徴とする遊技機。」として構成することができる。
本発明では、表示部照明装置の電流が下限電流設定値より小さい時に電流が低下したことを示す電流低下信号を出力する電流低下検出回路を有している。また、制御回路は、電流が低下したことを示す電流低下信号が入力されると、電流低下異常処理手段により、スイッチング回路をオフ制御する電流低下異常処理が実行される。
下限電流設定値は、表示部照明装置の電流が正常時より低下していることを判別可能な値が設定される。例えば、「０」が設定される。電流低下信号としては、電流が低下していることを示す状態（例えば「Ｈ」レベル）と、電流が低下していないことを示す状態（例えば「Ｌ」レベル）をとる信号を用いることができる。
本発明では、表示部照明装置の電流が低下した時にスイッチング回路がオフ制御されるため、異常発生を防止することができる。
【００４７】
また、「（態様５）態様４の遊技機であって、制御回路の動作電源の電圧が第３の下限電圧設定値より小さい時には、少なくとも、電流が低下したことを示す電流低下信号が制御回路に入力されるのを阻止する阻止回路を有していることを特徴とする遊技機。」として構成することができる。
本発明では、制御回路の動作電源の電圧が第３の下限電圧設定値より小さい時に、少なくとも、電流が低下したことを示す電流低下信号が制御回路に入力されるのを阻止する素子回路を有している。
第３の下限電圧設定値は、制御回路が動作電源の供給によって動作を開始した後、スイッチング回路の制御を開始する時点における動作電源の電圧値より高い値に設定される。
電流が低下したことを示す（例えば、「Ｈ」レベル）電流低下信号と、電流が低下していないことを示す（例えば、「Ｌ」レベル）電流低下信号を用いる場合には、電流が低下していないことを示す（例えば、「Ｌ」レベル）電流低下信号が制御回路に入力されるように阻止回路を構成することができる。例えば、制御回路の電流低下信号入力端子を接地端子に接続し、制御回路の電流低下信号入力端子を「Ｌ」レベルとする阻止回路を用いることができる。
本発明では、動作電源の供給による制御回路の動作開始時に、電流が低下したことを示す電流低下信号が制御回路に入力されるのを阻止することができ、制御回路の動作開始時に制御回路が電流低下異常処理を実行するのを防止することができる。
【００４８】
また、「（態様６）請求項1、態様１〜３のいずれかの遊技機であって、前記制御回路は、表示部照明装置の電流が下限電流設定値より小さくなった時に前記スイッチング回路をオフ制御する電流低下異常処理を実行する電流低下異常処理手段を有していることを特徴とする遊技機。」として構成することができる。
本発明では、表示部照明装置の電流が下限電流設定より小さくなった時に、電流低下異常処理手段により、スイッチング回路をオフ制御する電流低下異常処理が実行される。
電流低下異常処理手段は、例えば、表示部照明装置の電流を検出する電流検出回路で検出された電流検出信号を入力し、入力された電流検出信号に基づいて、表示部照明装置の電流が下限電流設定より小さくなったことを判別する。表示部照明装置の電流が下限電流設定値より小さくなったことは、例えば、電流検出信号が、下限電流設定値より大きくなった後に、下限電流設定値より小さくなったことにより判別する方法、制御回路が動作を開始してからあるいはスイッチング回路の制御を開始してから設定期間経過した後に電流検出信号が下限電流設定地より小さくなったことにより判別する方法を用いることができる。
本発明では、制御回路の電流低下異常処理手段が、電流検出信号に基づいて表示部照明装置の電流が下限電流設定値より小さくなったことを判別するため、構成が簡単になる。
【００４９】
また、「（態様７）態様６の遊技機であって、前記電流低下異常処理手段は、動作電源の供給による動作開始時には、動作電源の電圧が第４の下限電圧設定値より大きくなるまで電流低下異常処理を実行しないように構成されていることを特徴とする遊技機。」として構成することができる。
本発明では、制御回路の電流低下異常処理手段は、動作電源の電圧が第４の下限電圧設定値より大きくなるまで電流低下異常処理を実行しないように構成されている。
第４の下限電圧設定値は、動作電源の供給による制御回路の動作開始時に、制御回路が通常動作を実行する時の動作電源の電圧値より大きい値に設定される。
本発明では、動作電源の供給による制御回路の動作開始時に、制御回路が電流低下異常処理を実行するのを防止することができる。
【００５０】
また、「（態様８）請求項１、態様１〜７のいずれかの遊技機であって、前記表示装置として、液晶パネルと当該液晶パネルを背面側から照明するための冷陰極管を有する液晶表示装置が用いられ、前記表示部照明装置駆動回路として冷陰極管駆動回路が用いられていることを特徴とする遊技機。」として構成することができる。
本発明では、液晶パネルとバックライト光源として用いられる冷陰極管を有する液晶表示装置を備える遊技機において、液晶パネルのサイズが異なる、すなわち、冷陰極管の数が異なる液晶表示装置を、電源装置を変更することなく用いることができる。
【図面の簡単な説明】
【００５１】
【図１】本発明をパチンコ機として構成した実施の形態の制御系の概略構成図である。
【図２】本発明をパチンコ機として構成した実施の形態の電源系の概略構成図である。
【図３】整流電源を得る電源回路の一例を示す図である。
【図４】電圧が調整された直流電源を得る電圧変換回路の一例を示す図である。
【図５】冷陰極管駆動回路の一実施の形態の概略構成図である。
【図６】図５に示す冷陰極管駆動回路の一実施の形態の詳細回路図の一例を示す図である。
【符号の説明】
【００５２】
１０、１１、１２  変圧器
２０  スイッチング回路
３０  制御回路
４０、１２３、１３５、１４７、１５５  電圧変換回路
５０  動作電源遮断回路
６０、６０ａ〜６０ｄ  電圧検出回路
７０、７０ａ〜７０ｄ  電流検出回路
８０  電流低下検出回路
９０  阻止回路
１１０  電源基板
１１１  電源装置
１２０  払出制御基板
１２１  払出制御回路
１３０  主制御基板
１３１  主制御回路
１３２、１４２、１５２、１５４  記憶回路
１３３  表示装置駆動回路
１３５  特別図柄表示装置
１４０  副制御基板
１４１  副制御回路
１４３  スピーカ駆動回路
１４４  スピーカ
１４５  ランプ駆動回路
１４６  ランプ（ＬＥＤ）
１５０  表示制御基板
１５１  表示制御回路
１５３  ＶＤＰ
１６０  冷陰極管駆動基板
１７０  装飾図柄表示装置（液晶表示装置）
１７１  液晶パネル
１７２、１７２ａ〜１７２ｄ  冷陰極管（表示部照明装置）
Ｃ１、Ｃ４１〜Ｃ４３、Ｃ６１ａ、Ｃ６２ａ、Ｃ６１ｂ、Ｃ６２ｂ、Ｃ６１ｃ、Ｃ６２ｃ、Ｃ６１ｄ、Ｃ６２ｄ、Ｃ８１ａ〜Ｃ８１ｄ、Ｃ８２〜Ｃ８５、Ｃ９１、Ｃ１１１、Ｃ１２１、Ｃ１２２、Ｃ１７２ａ〜Ｃ１７２ｄ  コンデンサ
Ｓ６１ａ〜Ｓ６１ｄ、Ｓ７１ａ〜Ｓ７１ｄ、Ｓ８１ａ〜Ｓ８１ｄ、Ｓ１１１、Ｓ１２１  整流回路
Ｄ１２１  ダイオード
Ｒ４１〜Ｒ４８、Ｒ５１〜Ｒ５３、Ｒ７１ａ、Ｒ７１ｂ、Ｒ７１ｃ、Ｒ７１ｄ、Ｒ８１ａ〜Ｒ８１ｄ、Ｒ８２〜Ｒ８４、Ｒ９１〜Ｒ９５、Ｒ１２１〜Ｒ１２４  抵抗
ＣＯＭａ〜ＣＯＭｄ、ＣＯＭ１２１  比較器
ＺＤ４１、ＺＤ５１、ＺＤ１２１  定電圧ダイオード（定電圧回路）
ＳＷ２１〜ＳＷ２４、ＳＷ４１〜ＳＷ４４、ＳＷ５１、ＳＷ５２、ＳＥ９１、ＳＥ９２、ＳＷ１２１  スイッチング素子
【図１】
2008005922.tif 000003
【図２】
2008005922.tif 000004
【図３】
2008005922.tif 000005
【図４】
2008005922.tif 000006
【図５】
2008005922.tif 000007
【図６】
2008005922.tif 000008